(57)【特許請求の範囲】
【請求項１】
基材テープ上に転写層を設けた転写テープと、この転写テープを巻いた供給リールと、この供給リールより供給される転写テープのうち、上記転写層を基材テープから剥離しながら被転写体へ転写させる感圧用のヘッド部材と、転写使用後に残った基材テープを巻き取る巻取リールとを、片手で把持使用可能な器体に装備してある感圧転写具において、ヘッド部材としては、器体外に位置し、両側部に一対の翼状補強片を有する感圧部と、この感圧部と連設されて、器体内に設けられた２枚の挟持板間に挟挿されると共に、装填側先端の両側面に形成された第１の突起と、感圧部との境界付近に形成された第２の突起との間に、器体内に設けられた係合板を挟むことによって器体内に装填してある板状の保持部とを備えると共に、保持部と感圧部には、第２の突起より器体内方側から長手方向に延びて感圧部の翼状補強片間に達するリブ状の安定部材が突設してあることを特徴とする感圧転写具。
【請求項２】
上記感圧部と保持部の上下面に、リブ状の安定部材を突設してあることを特徴とする請求項１記載の感圧転写具。
【請求項３】
リブ状の安定部材が複数本突設してあることを特徴とする請求項１又は２に記載の感圧転写具。
【発明の詳細な説明】
【０００１】
【発明の属する技術分野】
この発明は、感圧転写具に関し、さらに詳しくは基材テープ上に形成された転写層を印刷物等の所定位置に転写するための感圧転写具に関する。
【０００２】
【従来の技術および発明が解決しようとする課題】
従来より、印刷物等の作成文書の特定部分を消去して訂正するのに白色による着色転写層を転写させる消去用転写テープが用いられている。また、学生等が暗記作業を能率的に行うために、暗記すべき部分をマーカーで着色することが行われており、このマーカーで着色する代わりに透明な赤色や緑色等による着色転写層を転写させるマーカー用テープが用いられることもある。さらには、上記着色転写層に代えて粘着層を形成し、当該粘着層を転写させる粘着層転写テープも用いられている。
【０００３】
これらの消去用転写テープ、マーカー用転写テープや粘着層転写テープの着色転写層や粘着層を印刷物等に容易に転写することのできる感圧転写具は、たとえば実開平６−３２４４６号公報、特願平７−３３７４４６号として提案されている。
特に、最近においては、感圧転写具として把持し易いように、図６に示すように器体の先端部を細長くしたペンタイプのものが提案されたが、通常６０〜８０°位の起上状態で用いるため、転写テープを感圧させる感圧用のヘッド部材として機能性を配慮したものが必要とされる。
【０００４】
従前に提案された図６の感圧転写具にあっては、その感圧用ヘッド部材Ｈとして図７に示すように、弾性付与を多大にするため、細長く形成した柔軟で屈撓可能な調整部ｐをヘッドｈ側とは反対側に延設して器体Ｋ内へ装填し、ヘッドｈに可撓性ないし融通性を与えていたが、特に可撓方向は図示したように、左右ａ，ａ′方向への横振れおよび回転方向ｃ，ｃ′となる捩じれによる屈撓性が高いため、却ってヘッドｈ側では感圧感が柔軟すぎ、使用時の感圧の手加減が難しいほか、ヘッド側では横振れや捩じれを受け易いという問題点があった。
【０００５】
そのような課題解決のため、本発明においては、器体内に装填する側の変形をできるだけ抑制して、ヘッド側で感圧感が柔軟すぎないようにして感圧の手加減がし易くできるように種々研究を行い、完成させたものである。
【０００６】
【課題を解決するための手段】
上記した課題を解決できる請求項１記載の発明は、基材テープ上に転写層を設けた転写テープと、この転写テープを巻いた供給リールと、この供給リールより供給される転写テープのうち、上記転写層を基材テープから剥離しながら被転写体へ転写させる感圧用のヘッド部材と、転写使用後に残った基材テープを巻き取る巻取リールとを、片手で把持使用可能な器体に装備してある感圧転写具において、ヘッド部材としては、器体外に位置し、両側部に一対の翼状補強片を有する感圧部と、この感圧部と連設して、器体内に設けられた２枚の挟持板間に挟挿されると共に、装填側先端の両側面に形成された第１の突起と、感圧部との境界付近に形成された第２の突起との間に、器体内に設けられた係合板を挟むことによって器体内に装填してある板状の保持部とを備えると共に、保持部と感圧部には、第２の突起より器体内方側から長手方向に延びて感圧部の翼状補強片間に達するリブ状の安定部材が突設してあることを特徴とするものである。
【０００７】
前記の構成によれば、感圧部と、この感圧部と連設して器体内に装填してある板状の保持部に、第２の突起より器体内方側から長手方向に延びて感圧部の翼状補強片間に達するリブ状の安定部材が突設されているので、保持部は強固に形成され、ヘッド感圧部の感圧時にも変形のない安定した状態を維持できる。そのため、たとえば被転写材へ転写する際にヘッド部材の感圧部に多大な押圧力が加えられても、保持部が安定しているため、ヘッド部材の感圧部を確実に被転写材に密接させることができ、良好な転写を行うことができる。特に、器体がペンタイプとして把持するものであっても、感圧用のヘッド部材を安定良く取り扱えることになり、感圧の手加減がし易いものとなる。
【０００８】
また、請求項２に記載のように、上記感圧部と保持部の上下面にリブ状の安定部材を突設しておくと、感圧部と連設して器体内に装填してある板状の保持部を一層強固に形成できる。
さらに、請求項３に記載のように、リブ状の安定部材を複数本突設すると、さらに板状の保持部が増強され、ひいては感圧部の安定化に役立つことになる。
【０００９】
【発明の実施の形態】
次いで本発明の実施形態について、順次図を参照しながら以下に説明する。
図１および図２は、感圧転写具の全体図を示しており、図３にはヘッド部材を示し、図４および図５には、ヘッド部材の器体への装填状態の詳細を示してあり、図中１は感圧転写具の器体であって、プラスチック成形された半割体１ａ，１ｂを長手方向で合致させて形成されてあり（図２参照）、図示しないが互いの凹凸部による嵌合によるものであり、内部透視できるように双方を透明体にするか一方を透明体にして形成されている。この器体１の全体形状としては、先端側を細長い形状にしてペンタイプとして片手で把持使用できるような形状の把持部１１として形成してあり、把持部１１から後続する部分１２は、転写テープＴの装填部分となるようスペースを広く形成してある。
【００１０】
上記感圧転写具の器体１には、基材テープＴ1 の上に転写層Ｔ2 を設けた転写テープＴを装備するもので、具体的には、転写テープＴを巻いた供給リール２、供給リール２より供給される転写テープＴのうち、転写層Ｔ2 を基材テープＴ1 から剥離しながら被転写材Ａへ転写するための感圧部３１を含むヘッド部材３、転写使用後に残った基材テープＴ1 を巻き取る巻取リール４が備えられている。供給リール２と巻取リール４とは連動して回転するよう供給リール２側のギアＧ1 と巻取リール４側のギアＧ2 とを噛み合わせている。なお、図１には図示していないが、供給リール２にはブレーキ機構を装備していて、転写テープＴは送り方向のみに回転されるように構成されている。
【００１１】
上記の構成により、供給リール２から繰り出される転写テープＴは、ガイドピンＰ1 ，Ｐ2 を介して、器体１の開口１３から外部へ出て、ヘッド部材３の感圧部３１に接して転写層Ｔ2 の転写後、残った基材テープＴ1 は折り返して、開口１３より器体１内に戻り、ガイドピンＰ3 を介して巻取リール４に巻き取られる。
【００１２】
次に、器体１の先端に設置してある前記した感圧用のヘッド部材３について、その形状の詳細を図３により説明すると、器体１の外側に位置させる感圧部３１と器体１内に装填させる板状の保持部３２とからなっていて、この両者の上下面には、第２の突起より器体内方側から長手方向に延びて感圧部の翼状補強片間に達するリブ状の安定部材３３，３３を突設してあり、さらに感圧部３１は先端３１ａを舌片状に突出しており、感圧部３１の両側部には一対の、図では三角形状をしたガイド用の翼状補強片３４，３４を形成し、保持部３２には、装填側先端の両側面に第１の突起３５，３５と感圧部３１との境界付近に第２の突起３６，３６とを形成し、後述する器体１への装填についての安定化を図るための構造を採用している。
【００１３】
上記したヘッド部材３の器体１への装填状態を図４と図５を参照して説明すると、器体１の半割体１ａ，１ｂ間にヘッド部材３が位置できるよう器体１の開口部１３から内方位置へ板状の保持部３２が装填されてあり、器体１の半割体１ａ，１ｂの一方側面から他方半割体へ向けて２枚の挟持板１４，１４が長く突設されていて、その挟持板１４，１４の間にヘッド部材３の装填側となる板状の保持部３２の一部を挟装し、上下の移動を防いでおり（図４参照）、リブ状の安定部材３３の後端は、挟持板１４，１４の前端１４ａと当接するようにし、第１の突起３５，３５と第２の突起３６，３６の間には、器体１の各半割体１ａ，１ｂの側方から短く突設された係合板１５，１５を挟むことにより、前後への移動を防いでいる（図５参照）。なお、１６，１６は器体１の先端を補強するリブを示している。
【００１４】
なお、リブ状の安定部材３３については、図示した実施例のように感圧部３１と保持部３２の上下面に突設されるほか、上下面一方でもよく、また、何れの場合にも複数本を突設しておくと、より一層の保持部３２の増強となり、ひいては感圧部３１に対する保持効果の増強になり、感圧安定化を向上できる。
【００１５】
上記感圧転写具は、器体１をたとえばペンを持つように６０°〜８０°の起上状態にして片手で把持し、すなわち把持部１１側面に人差し指、中指および親指をそれぞれ当てがい、ヘッド部材３の感圧部３１を被転写材Ａ上に感圧しながら移行させてやると（図１の白矢印参照）、転写テープＴのうち、転写層Ｔ2 だけが剥がされて被転写材Ａへと転写される。
【００１６】
このとき、感圧転写具を横方向に傾けて使用したり、立てた状態で使用したりした場合に、たとえば感圧部３１に偏った力が加えられても、感圧部３１と、この感圧部３１と連設した板状の保持部３２に突設されたリブ状の安定部材３３によってヘッド部材３は安定的に形成されているので、感圧部３１に対して安定した支持力を発揮し、感圧部３１は、左右への偏りや捩じれが極力抑制され、感圧部３１の先端３１ａの面全体が確実に被転写材Ａに密接することができ、良好な転写を行うことができる。
【００１７】
なお、リブ状の安定部材３３は、感圧部３１と保持部３２の一面に複数本突設されていてもよい。安定部材３３が複数本突設されると、保持部３２をより一層強固にすることができ、ひいては感圧部３１に対する安定保持を強化できることになる。
また、転写層Ｔ2は、印刷物等の作成文書の特定部分を消去して訂正するための消去用テープに用いられる白色の着色転写層であってもよいし、学生等が暗記作業を行うために暗記すべき部分を強調するための着色転写用テープ（マーカー用テープ）で用いられる赤色や緑色の着色転写層であってもよい。さらには、粘着層転写テープで用いられる粘着層であってもよい。
【００１８】
本実施形態の説明は以上であるが、本発明は上記の実施形態に限られるものではなく、その他、特許請求の範囲に記載された技術的事項の範囲で、種々の変更を施すことが可能である。
【００１９】
【発明の効果】
以上のように、請求項１記載の発明によれば、器体の先端に設置されるヘッド部材には、感圧部と、この感圧部と連設して器体内に装填してある保持部に長手方向に延びたリブ状の安定部材が突設されているので、たとえば被転写材へ転写する際に、偏った力が加えられても、器体内に装填してある保持部が安定よく支持しているので、ヘッド部材全体が偏ったり捩れたりすることを防止でき、ヘッド部材の感圧部における感圧面全体が確実に被転写材に密接することになり、感圧の手加減もし易くて良好な転写を行うことができる。特に、ペンタイプをなす形状の器体の場合でも、器体をかなり起上して用いてもヘッドの安定度は高い。
【００２０】
請求項２または３記載の発明のように、感圧部と保持部の上下面に安定部材が形成される場合、または複数本の安定部材が突設されている場合には、感圧部と連設して器体内に装填してある保持部をより一層強固にすることができ、感圧部に対する支持力の増強になり、ひいては感圧安定化を向上できることになる。
【図面の簡単な説明】
【図１】この発明の一実施形態にかかる感圧転写具の全体構成を示す側面図である。
【図２】図１に対する正面図である。
【図３】感圧用のヘッド部材の斜視図である。
【図４】感圧用のヘッド部材の器体に対する装填状態を説明するための側面図である。
【図５】感圧用のヘッド部材の器体に対する装填状態を説明するために、前図Ｖ−Ｖにて器体側のみを断面で示す平面図である。
【図６】従来の感圧転写具の斜視図である。
【図７】従来の感圧転写具の感圧用のヘッド部材を説明するための斜視図である。
【符号の説明】
１      器体
２      供給リール
３      ヘッド部材
３１    感圧部
３１ａ  感圧部の先端
３２    板状の保持部
３３    リブ状の安定部材
４      巻取リール
Ｔ      転写テープ
Ｔ1    基材テープ
Ｔ2    転写層
Ａ      被転写材
【図１】
0003753475.tif 000002
【図２】
0003753475.tif 000003
【図３】
0003753475.tif 000004
【図４】
0003753475.tif 000005
【図５】
0003753475.tif 000006
【図６】
0003753475.tif 000007
【図７】
0003753475.tif 000008